(57)【要約】【課題】破砕空間の出口部の間隔の調整を簡単に軽微な労力で行え、また遠隔操作を可能とする。【解決手段】固定歯２０と可動歯３０との間に形成された破砕空間１５の出口隙間を調整するジョークラッシャ１において、トッグルプレート３４のプレート方向に略一致して進退移動するようにトッグルブロック３５を設け、このトッグルブロック３５の傾斜面との当接による相対移動によって、トッグルブロック３５の進退移動方向を横切る方向で且つ上下方向に移動するくさび部材４５を設け、このくさび部材４５下方向のジョークラッシャ本体１０に設けられた駆動モータ４１により移動させる。【選択図】        図１
2005013918.tif 000002
【特許請求の範囲】
【請求項１】
ジョークラッシャ本体に固定された固定歯と、
この固定歯に対向する可動歯を固定したスイングジョーと、
このスイングジョーの先端にトッグルプレートの一端側を当接させ、前記ジョークラッシャ本体に移動可能に保持したトッグルブロックで前記トッグルプレートの他端側を当接させ、前記トッグルブロックを前記スイングジョーの方向に進退移動させて行う位置調整で前記固定歯と前記可動歯との間に形成された破砕空間の出口隙間を調整するジョークラッシャにおいて、
前記トッグルプレートのプレート方向に略一致して進退移動するトッグルブロックと、
前記トッグルブロックの傾斜面との当接による相対移動により、前記トッグルブロックの進退移動方向を横切る方向で且つ上下方向に進退移動するくさび部材と、
このくさび部材の下部の前記ジョークラッシャ本体に設けられ前記くさび部材を移動させるくさび部材駆動装置と
からなることを特徴とするジョークラッシャの調整装置。
【請求項２】
請求項１に記載されたジョークラッシャの調整装置であって、
前記くさび部材駆動装置は、駆動モータとこの駆動モータで回転駆動されるねじ機構とから構成されていることを特徴とするジョークラッシャの調整装置。
【請求項３】
請求項２に記載されたジョークラッシャの調整装置であって、
前記くさび部材駆動装置は、前記ねじ機構のねじ軸の中心線が前記可動歯の歯面に対し傾斜させた構成になっていることを特徴とするジョークラッシャの調整装置。
【請求項４】
請求項２または３に記載されたジョークラッシャの調整装置であって、
前記くさび部材駆動装置は、前記ねじ機構の上端側に手動で前記ねじ機構を回転させることが可能な手動回転用被係合部が形成されていることを特徴とするジョークラッシャの調整装置。
【請求項５】
請求項１に記載されたジョークラッシャの調整装置であって、
前記トッグルブロックの位置調整方向に直交する方向であってこのトッグルブロックの両側方のジョークラッシャー本体にガイドフレームを設け、このガイドフレームに対し前記トッグルブロック端部側の高さが低くなる下向きの傾斜面と、前記ガイドフレームにそれぞれ摺動自在に保持された状態で前記トッグルブロックの傾斜面に面合する傾斜面を有するクサビ状締結片を設け、固定時には前記ジョークラッシャ本体の側部に設けられた付勢部材の付勢力で前記トッグルブロックを側方から持ち上げて固定し、固定解除時には前記付勢部材の付勢力に抗して動作する固定解除用シリンダによって固定解除される構成になっていることを特徴とするジョークラッシャの調整装置。
【請求項６】
請求項１に記載されたジョークラッシャの調整装置であって、
前記トッグルブロックは、前記ジョークラッシャ本体の側面に前記トッグルブロックの進退移動方向と略同一方向に設けられた駆動装置により引っ張る方向に付勢されている構成になっていることを特徴とするジョークラッシャの調整装置。
【発明の詳細な説明】
【０００１】
【発明の属する技術分野】
本発明は、ジョークラッシャの調整装置に関し、特に砕石のサイズの調整のため、破砕空間の出口の間隔の調整を、簡単に軽微な労力で行うことができるジョークラッシャの調整装置に関する。
【０００２】
【従来の技術】
従来、砕石のサイズの調整を行うため、ジョークラッシャの不動歯（固定歯）と動歯（可動歯）との間の破砕空間の出口側の間隔（出口隙間）を調整することは公知であり、このための技術が種々提案されている。この出口隙間を調整する方式としては、シム板挿入方式とウェッジブロック方式と呼ばれているものがよく知られている。
【０００３】
シム板挿入方式は、フレーム（クラッシャ本体）とトッグルブロックとの間にシム板を挿入し、スイングジョーに対するトッグルブロックの位置を調整することで、不動歯と動歯との出口の隙間を調整するものである。本出願人も、シム板挿入方式の関連技術として、砕石サイズ調整を簡単に、かつ効率的に行うため、トッグルブロックの固定と解除を、人手を要さず簡単に行う技術を提案している（特許文献１）。
【０００４】
ウェッジブロック方式の調節装置として、トッグルプレートと当接する面の反対側の面に傾斜面が形成された保持枠（トッグルブロック）と、傾斜面が形成された調整案内枠（くさび部材）とを当接させ、調整案内枠の垂直方向の移動で保持枠を機枠の下面に沿って移動させ、動歯の傾斜角度を任意に変え、ジョークラッシャの咬合わせ排出口の調節を行うものも知られている（特許文献２）。
【０００５】
また、特許文献２のように、モータが調整案内枠の上部（偏心軸の近傍）に配置すると、ジョークラッシャのメンテナンスを行う場合に邪魔になることが多い。そこで、ジョークラッシャのスイングジョーのバックフレーム側にメンテナンス用の所要スペースを確保するため、ウェッジ作動シリンダを傾斜可能に設ける技術も開示されている（特許文献３）。
【０００６】
さらに、トグルブロックを、左右方向に移動自在な一対のクサビと、この一対のクサビを接近または離反させる電動機駆動のスクリュージャッキ機構を設けた横型自動間隔調整装置に関する技術（特許文献４）、あるいは油圧シリンダー等による制御で移動させる技術も開示されている。
【０００７】
【特許文献１】実用新案登録第２５８９１２６号公報
【特許文献２】特公昭５７−１４２１２号公報
【特許文献３】特開平９−２５３５１２号公報
【特許文献４】実用新案登録第２５１５６１７号公報
【発明が解決しようとする課題】
ジョークラッシャは、採石場や中間処理工場等の環境条件の大変厳しいところで使用されている。ジョークラッシャの砕石サイズの変更は時折必要となる作業であり、作業は砕石場や中間処置工場等で行われる。しかしながら、従来の出口隙間の調整作業には、作業者が手作業で行う作業があり、重労働になるという問題点があった。すなわち、部品が大型のものや重量物のもの等であり、部品の持ち運びが大変であった。また、大きな破砕力を受けるため、各部のねじの締め付け力は大きなものであり、ねじの緩め締め付け作業にも大きな力を必要とする。
【０００８】
このように、ジョークラッシャの調整作業は重労働で手間のかかる作業になっている。さらに、ジョークラッシャが大型になると安全面でも特別な考慮を払わねばならず、大変危険の伴う作業になってしまう。そのため、もっと、軽微な労力で出口隙間の調整作業ができ且つメンテナンスの容易なジョークラッシャの開発が望まれていた。
【０００９】
また、その調整作業の時には、ジョークラッシャを直接手動で操作しているためスイッチの誤操作による事故の発生のおそれがあった。また、作業足場が十分確保できないために墜落、落下災害が発生するおそれなどもあった。このように、作業の安全性の面でも問題が生じていた。しかしながら、前記した特許文献には、これらの作業の一部を容易に行えるようにする技術の記載はあるものの、出口隙間の調整作業に関し、一連の作業を遠隔操作で行えるようにし、軽微な労力で調整作業ができるようにして、作業者の安全性の向上を図ることができる技術は開示されていない。
【００１０】
本発明は、上記した問題点を解決するためになされたもので、下記の目的を達成する。
本発明の目的は、ジョークラッシャの出口隙間の調整を、簡単に、軽微な労力で行え、更にメンテナンスが容易に行える構成にし、遠隔操作を可能とするジョークラッシャの調整装置を提供することにある。
【００１１】
【課題を解決するための手段】
本発明１のジョークラッシャの調整装置は、ジョークラッシャ本体に固定された固定歯と、この固定歯に対向する可動歯を固定したスイングジョーと、このスイングジョーの先端にトッグルプレートの一端側を当接させ、前記ジョークラッシャ本体に移動可能に保持したトッグルブロックで前記トッグルプレートの他端側を当接させ、前記トッグルブロックを前記スイングジョーの方向に進退移動させて行う位置調整で前記固定歯と前記可動歯との間に形成された破砕空間の出口隙間を調整するジョークラッシャにおいて、
前記トッグルプレートのプレート方向に略一致して進退移動するトッグルブロックと、前記トッグルブロックの傾斜面との当接による相対移動により、前記トッグルブロックの進退移動方向を横切る方向で且つ上下方向に進退移動するくさび部材と、このくさび部材の下部の前記ジョークラッシャ本体に設けられ前記くさび部材を移動させるくさび部材駆動装置とからなることを特徴とする。
【００１２】
本発明２のジョークラッシャの調整装置は、本発明１において、前記くさび部材駆動装置は、駆動モータと駆動モータで回転駆動されるねじ機構とから構成されていることを特徴としている。
【００１３】
本発明３のジョークラッシャの調整装置は、本発明２において、前記くさび部材駆動装置は、前記ねじ機構のねじ軸の中心線が前記可動歯の歯面に対し傾斜させた構成になっていることを特徴とする。
【００１４】
本発明４のジョークラッシャの調整装置は、本発明２または３において、前記くさび部材駆動装置は、前記ねじ機構の上端側に、手動で前記ねじ機構を回転させることが可能な手動回転用被係合部が形成されていることを特徴としている。
【００１５】
本発明５のジョークラッシャの調整装置は、本発明１において、前記トッグルブロックの位置調整方向に直交する方向であってこのトッグルブロックの両側方のジョークラッシャー本体にガイドフレームを設け、このガイドフレームに対し前記トッグルブロック端部側の高さが低くなる下向きの傾斜面と、前記ガイドフレームにそれぞれ摺動自在に保持された状態で前記トッグルブロックの傾斜面に面合する傾斜面を有するクサビ状締結片を設け、固定時には前記ジョークラッシャ本体の側部に設けられた付勢部材の付勢力で前記トッグルブロックを側方から持ち上げて固定し、固定解除時には前記付勢部材の付勢力に抗して動作する固定解除用シリンダによって固定解除される構成になっていることを特徴としている。
【００１６】
本発明６のジョークラッシャの調整装置は、本発明１において、前記トッグルブロックは、前記ジョークラッシャ本体の側面に前記トッグルブロックの進退移動方向と略同一方向に設けられた駆動装置により引っ張る方向に付勢されている構成になっていることを特徴としている。
【００１７】
【発明の実施の形態】
以下、本発明の実施の形態を図面に基づいて説明する。図１は、本発明のジョークラッシャの調整装置の一部を断面にした正面図、図２は、図１をＩＩ−ＩＩ線で矢視した断面図、図３は、本発明のジョークラッシャの一部を斜視した斜視図である。図１に示すようにジョークラッシャ１として、シングルトッグル型ジョークラッシャを例にして説明を行うが、他の形式のジョークラッシャであってもよいことはいうまでもない。ジョークラッシャ本体による破砕構造については公知であり、破砕機構に関する詳細な説明は省略する。
【００１８】
ジョークラッシャ本体（以下、本体と記載）１０に軸受（図示せず）を介して後述するスイングジョーのための回転駆動軸（図示せず）が回転可能に支持されている。回転駆動軸は、図示しない駆動用モータにより駆動される。回転駆動軸と一体に回転する回転体（図示せず）に偏心して偏心回転軸（図示せず）が設けられている。偏心回転軸はスイングジョー３１の上端部を回転自在に支持している。
【００１９】
偏心回転軸は偏心して回転するので、この回転に伴いスイングジョー３１は揺動往復運動をする。スイングジョー３１の下端側の背面の凹部に、トッグルシート３２が固定配置されている。トッグルシート３２の上面には窪み３２ａが形成されている。トッグルブロック３５は、ジョークラッシャ本体１０に形成された案内部に案内されて矢印Ａ方向に移動可能になっている。この移動方向は、トッグルプレート３４のプレート方向に略一致する。
【００２０】
なお、案内部は、ジョークラッシャ本体１０にガイド部材を設けたものであってもよい。即ち、トッグルブロック３５が、スイングジョー３１側である矢印Ａ方向にスムーズに直進移動できるようになっていればよい。トッグルブロック３５の前面の凹部にはトッグルシート３８が固定配置されている。トッグルシート３８の上面には、窪み３８ａが形成されている。スイングジョー３１側の窪み３２ａとトッグルブロック３５側の窪み３８ａとの間にトッグルプレート３４が介在されている。
【００２１】
トッグルブロック３５の背面（ジョークラッシャ本体１０の後部側の面）には、傾斜面３５ａが形成されている。トッグルブロック３５は、トッグルプレート３４の一端を揺動自在に支持している。このためにトッグルブロック３５は、トッグルプレート３４を介して、スイングジョー３１の揺動動作を支持するとともに、破砕時の反力を受けるものである。
【００２２】
ジョークラッシャ本体１０に取り付けられたガイド部材４６、４６に案内されて、くさび部材（ウェッジブロック）４５が矢印Ｂ方向（図１参照）に移動可能に設けられている。なお、くさび部材４５を案内する部位は、ジョークラッシャ本体１０、又はトッグルブロック３５に案内部が形成されたものであっても良い。すなわち、くさび部材４５がスムーズに矢印Ｂ方向に移動できるようになっていればよい。ガイド部材４６と平行な方向に軸線を有するねじ軸４４が設けられている。
【００２３】
ねじ軸４４は、軸受部４２、４３に回転可能に支持されている。ねじ軸４４の中心軸線が鉛直線に対し可動歯３０側に傾斜させた構成になっている。言い換えると、ねじ軸４４の中心軸線と可動歯３０の歯面とは上方に向けて鋭角を成して配置されている。ねじ軸４４の下側の一端側には、ねじ軸４４を駆動するための電動モータ、サーボモータ、流体圧モータ（例えば、油圧モータ）等の駆動モータ４１が取り付け部材４７を介して設けられ、駆動モータ４１の出力軸がねじ軸４４と連結されている。
【００２４】
駆動モータ４１をねじ軸４４の下部側に配置したことは、ジョークラッシャ１のメンテナンスを行う場合に駆動モータ４１が邪魔にならずメンテナンス領域が確保され好都合となる。又、駆動モータ４１を設けたことで、ねじ軸４４の回転制御ができ、くさび部材４５の移動設定を遠隔操作できる。ねじ軸４４の中央部には雄ねじであるねじ部４４ａが形成されている。
【００２５】
くさび部材４５には、雌ねじが形成されており、ねじ軸４４のねじ部４４ａがねじ込まれている。くさび部材４５は、雌ねじが形成されたナットが固定されたものであってもよい。すなわち、駆動モータ４１の駆動によりねじ軸４４を回転させると、くさび部材４５がガイド部材４６，４６に案内されて矢印Ｂ方向に移動する。駆動モータ４１、軸受部４２、４３、ねじ軸４４等でくさび部材駆動装置が構成されている。
【００２６】
ねじ軸４４の他端側には、ねじ軸４４に手動ハンドル、又はラチェットのような工具を取り付け、又は、係合させることができる手動回転用被係合部４４ｂが形成されている。このように、手動回転用被係合部４４ｂを形成しておくと、何らかの理由で駆動モータ４１が故障した場合でも、手動で出口隙間の調整ができ好都合である。また、ねじ軸４４の上部側に手動回転用被係合部４４ｂが形成されているので、作業者は装置の上方で作業を容易に行うことができる。
【００２７】
くさび部材４５の前面側には、傾斜面４５ａが形成されており、トッグルブロック３５の傾斜面３５ａに摺動可能に接触している。すなわち、くさび部材４５を矢印Ｂ方向に移動させると、相互の傾斜面によるくさび効果で、トッグルブロック３５が矢印Ａ方向に移動する。ねじ軸４４は軸線が図１に示すように、下部側より上部側がスイングジョー３１に近づくように傾倒して設けられている。即ち、スイングジョー３１の歯面とねじ軸４４の軸線とは鋭角になっている。
【００２８】
このことにより、出口隙間の調整作業を行うとき、くさび部材４５の自重によって、くさび部材４５のジョークラッシャ本体１０側の面とジョークラッシャ本体１０との密着状態を緩和させることができる。また、上方向から進入する泥水（粉塵防止用の散水に粉塵が混入したもの）や、破砕時に飛散する小石、粉塵等がくさび部材４５のジョークラッシャ本体１０側の面へ付着することを軽減させることができる。また、ジョークラッシャ本体１０の後部の破砕力を受ける部位の面が、トッグルプレート３４と直角に近い関係になり、強度上有利になり、ジョークラッシャ本体１０の構造をより簡素で強力なものとすることができる。
【００２９】
トッグルブロック３５の下面の両側には、トッグルブロック端部側に傾斜面３５ｃ、３５ｃが形成されている。ジョークラッシャ本体１０の両側面にはガイドフレーム１０ｂが形成され、コッタ５４（クサビ状締結片）はこのガイドフレーム１０ｂに沿って、矢印Ｃ方向に移動可能に設けられている。コッタ５４は傾斜面３５ｃに係合し、コッタ５４の移動でトッグルブロック３５は上下方向に移動する。このコッタ５４は、トッグルブロック３５をジョークラッシャ本体１０に固定するくさび状締め付け片となるものである。
【００３０】
コッタ５４の傾斜面５４ａは、トッグルブロック３５の傾斜面３５ｃと面接触している。コッタ５４は、軸５３を介して固定用バネ（固定用付勢部材）５１によって、常時、トッグルブロック３５をジョークラッシャ本体１０に固定する方向に付勢されている。固定用バネ５１、軸５３、コッタ５４等で固定装置が構成されている。固定用バネ５１の近傍に、コッタ５４によるトッグルブロック３５の固定を固定用バネ５１の付勢力に抗して解除するための固定解除用シリンダ５２が設けられている。
【００３１】
即ち、コッタ５４、５４は、固定用バネ５１、５１と固定解除用シリンダ５２、５２によって矢印Ｃ方向に移動し、トッグルブロック３５をジョークラッシャ本体１０に固定または固定解除を行う。また、固定用バネ５１、５１、固定解除用シリンダ５２、５２は、メンテナンス等が容易なようにジョークラッシャ本体１０の側板の外側に配置されている。
【００３２】
スイングジョー３１の下端側にテンションロッド３６の一端が取り付けられている。このテンションロッド３６は、スイングジョー３１に設けられたステ−に支軸を介して支持されている。テンションロッド３６の他端はジョークラッシャ本体１０の後部側の部位を通って外側に張り出している。テンションロッド３６の後端（他端側）の鍔部３６ａとジョークラッシャ本体１０の後面との間に圧縮コイルバネ３７が介設されている。即ち、テンションロッド３６は、ジョークラッシャ本体１０の一端側（固定歯側から離れる方向）に圧縮コイルバネ３７の付勢力で常時スイングジョー３１を引張り、スイングジョー３１、トッグルプレート３４、トッグルブロック３５が相互に離れないようにしている。
【００３３】
ジョークラッシャ本体１０の側部の両側には、トッグルブロック３５をジョークラッシャ本体１０の後部に押し付けるためのトッグルブロック押圧用シリンダ６１、６１が設けられている。トッグルブロック押圧用シリンダ６１は、シリンダの本体部がジョークラッシャ本体１０の側板に、ピストンロッドがトッグルブロック３５の両端側に形成された取り付け部３５ｂに、各々、回転可能に取り付けられている。
【００３４】
トッグルブロック押圧用シリンダ６１は、トッグルブロック３５の移動方向（矢印Ａ方向）と同一の方向またはほぼ同一の方向を向いて配置されている。また、取り付け部３５ｂは、ジョークラッシャ本体１０の側板に形成された切り欠き部１０ａ内を移動可能となっている。このトッグルブロック押圧用シリンダ６１は、ジョークラッシャ本体１０の側板の外側に配置されているのでメンテナンスが容易となっている。
【００３５】
スイングジョー３１の前面に平板状の可動歯３０がクサビ状締め付け部材、ボルト、ナットなどからなる可動歯取り付け手段（図示せず）によって固定されている。可動歯３０に対向して平板状の固定歯２０がジョークラッシャ本体１０の内部の少し傾斜した壁面に取り付けられている。可動歯３０に対して鋭角に固定歯２０が設定され、被破砕物を破砕するための破砕空間１５が形成されている。
【００３６】
コンクリート、アスファルト等被破砕物を破砕空間１５に投入すると、可動歯３０の揺動往復運動によって、固定歯２０と可動歯３０との間で相対動作をもたらし、破砕空間１５に投入された被破砕物は圧縮、曲げ、剪断等の作用により細かく破砕される。所望のサイズに細かく破砕された被破砕物はジョークラッシャ１の下部から排出される。すなわち、破砕空間１５の出口側の間隔（出口隙間）によって、被破砕物が砕石されるサイズが決まる。すなわち、出口隙間は、トッグルブロック３５を矢印Ａ方向の所望の位置に移動させることにより調整される。
【００３７】
次に、砕石サイズを変更するため、出口隙間を調整する方法を説明する。トッグルブロック押圧用シリンダ６１、６１を作動させて押圧解除状態にするとともに、固定解除用シリンダ５２、５２を作動させてコッタ５４、５４を固定解除状態となる位置に移動させる。このことにより、トッグルブロック３５のジョークラッシャ本体１０に対する固定が解除される。駆動モータ４１を駆動して、トッグルブロック３５が矢印Ａ方向の所望の位置に移動するように、くさび部材４５を矢印Ｂ方向に移動させる。
【００３８】
移動後、トッグルブロック押圧用シリンダ６１、６１を作動させて、トッグルブロック３５をジョークラッシャ本体１０の後部側に押圧するとともに、固定解除用シリンダ５２、５２による固定解除をやめ、固定用バネ５１、５１の付勢力でコッタ５４、５４を移動させ、ジョークラッシャ本体１０にトッグルブロック３５を固定する。被破砕物を破砕空間１５に投入して、所定のサイズの砕石になるように破砕作業を行う。
【００３９】
【発明の効果】
本発明のジョークラッシャの調整装置は、トッグルブロックの固定・固定解除動作、および、くさび部材の移動動作を遠隔操作で行うことができる。作業者は、外部から遠隔操作を行うだけでジョークラッシャの出口隙間の調整ができるので、軽微な労力で行うことができる。また、駆動モータ、固定解除用シリンダ、トッグルブロック押圧用シリンダがクラッシャ本体の側板の外部に設けられており、出口隙間の調整作業を作業者が行うときクラッシャ本体内等に手を入れたりすることがないので安全性が向上する。特に、故障時などのときメンテナンスが容易で安全である。
【００４０】
また、ねじ軸の軸線が、下部側より上部側がスイングジョーに近くなるように傾倒して設けられているので、出口調整時に、自重によりクラッシャ本体とくさび部材が密着状態になるのを緩和することができる。さらに、駆動モータがねじ軸の下部側に設けられているのでジョークラッシャのメンテナンス領域が確保されメンテナンスが容易となった。また、ねじ軸の上部に手動回転用被係合部が形成されているので、駆動モータが故障したときにも、手動で出口隙間の調整を行うことができる。
【図面の簡単な説明】
【図１】図１は、本発明のジョークラッシャの正面図である。
【図２】図２は、図１のＩＩ−ＩＩ線で矢視した断面図である。
【図３】図３は、本発明のジョークラッシャの一部を斜視した斜視図である。
【符号の説明】
１  …ジョークラッシャ
１０…クラッシャ本体
１５…破砕空間
２０…固定歯
３０…可動歯
３１…スイングジョー
３２ａ…窪み
３４…トッグルプレート
３５…トッグルブロック
３８ａ…窪み
３６…テンションロッド
３７…圧縮コイルバネ
４１…駆動モータ
４２、４３…軸受部
４４…ねじ軸
４４ａ…手動回転用被係合部
４５…くさび部材（ウェッジブロック）
５１…固定用バネ
５２…固定解除用シリンダ
５４…コッタ
６１…トッグルブロック押圧用シリンダ
【図１】
2005013918.tif 000003
【図２】
2005013918.tif 000004
【図３】
2005013918.tif 000005